(57)【要約】【課題】所定時間後の撮影位置を予測して、予測した撮影位置の被写体情報に基づいて撮影モードを選択する。【解決手段】現在位置特定部３４が定期的に現在位置情報を取得し、取得した複数の位置情報から移動方向、移動速度を算出する。この算出された移動方向及び移動速度から、ｔｉ時間後の移動場所の予測を行い（ステップＳ１４）、予測されたｔｉ時間後の移動場所の所定範囲における被写体情報を画像管理サーバ１２に問い合わせて（ステップＳ１５）、該当する被写体情報（Ａ）を取得する。現在位置特定部３４、方位検出部３７、及び仰角検出部３８が、携帯電話１１の現在位置、図示しない撮影レンズの向いている方位及び仰角を検出し、被写体情報（Ａ）の位置、方位、角度に近いか否かを判定する（ステップＳ２３）。位置、方位、角度が近いと判断すると、自動撮影を行う（ステップＳ２４）。。【選択図】  図５
2009225279.tif 000002
【特許請求の範囲】
【請求項１】
通信ネットワークを介してデータ通信を行う撮像装置とサーバから構成される撮影システムにおいて、
前記撮像装置は、
撮像レンズを介して受光した被写体像を画像データに変換する撮像手段と、
前記撮像装置の現在位置を特定する現在位置特定手段と、
前記撮像装置の移動の速度及び方向を検出する手段と、
前記特定された現在位置と前記検出された移動の速度及び方向に基づいて、所定時間後の前記撮像装置の位置を予測する手段と、
前記予測した位置の情報を前記サーバに送信する手段と、
前記予測した位置の所定範囲内に存在する被写体の情報を前記サーバから取得する手段と、
前記取得した被写体の情報に基づいて前記被写体に最適な撮影モードを選択する選択手段とを備え、
前記サーバは、
前記撮像装置が予測した位置の情報を前記撮像装置から取得する手段と、
前記撮像装置が予測した位置の所定範囲内に存在する被写体の情報を前記撮像装置に送信する手段とを備えたことを特徴とする撮影システム。
【請求項２】
通信ネットワークを介してデータ通信を行う撮像装置とサーバから構成される撮影システムにおいて、
前記撮像装置は、
撮像レンズを介して受光した被写体像を画像データに変換する撮像手段と、
前記撮像装置の現在位置を特定する現在位置特定手段と、
前記撮像装置の移動の速度及び方向を検出する手段と、
前記特定された現在位置と前記検出された移動の速度及び方向の情報を、前記サーバに送信する手段と、
前記サーバが予測した所定時間後の前記撮像装置の位置の所定範囲内に存在する被写体の情報を前記サーバから取得する手段と、
前記取得した被写体の情報に基づいて前記被写体に最適な撮影モードを選択する選択手段とを備え、
前記サーバは、
前記撮像装置から取得した前記特定された現在位置と前記検出された移動の速度及び方向の情報に基づいて所定時間後の前記撮像装置の位置を予測する手段と、
前記予測した位置の所定範囲内に存在する被写体の情報を前記撮像装置に送信する手段とを備えたことを特徴とする撮影システム。
【請求項３】
前記被写体情報は、前記被写体を撮影するのに最適な撮影モードの候補のリストを含むことを特徴とする請求項１または２に記載の撮影システム。
【請求項４】
前記選択手段は、ユーザに前記リストから本撮影に用いる撮影モードを選択させることを特徴とする請求項３に記載の撮影システム。
【請求項５】
前記選択手段は、前記リストの最も上位の撮影モードを本撮影に用いるモードとして設定することを特徴とする請求項３に記載の撮影システム。
【請求項６】
前記選択手段は、前記所定時間後に前記リストの最も上位の撮影モードを本撮影に用いるモードとして設定することを特徴とする請求項５に記載の撮影システム。
【請求項７】
前記選択手段は、前記所定時間後の余裕設定時間前に前記リストの最も上位の撮影モードを本撮影に用いるモードとして設定することを特徴とする請求項５に記載の撮影システム。
【請求項８】
前記被写体を撮影するのに最適な撮影モードの候補のリストは、前記被写体が過去に撮影された際の撮影モードのお薦め度順に整列されたリストであることを特徴とする請求項３から７のいずれかに記載の撮影システム。
【請求項９】
前記被写体を撮影するのに最適な撮影モードの候補のリストは、前記被写体が過去に撮影された際の撮影モードの利用回数順に整列されたリストであることを特徴とする請求項３から７のいずれかに記載の撮影システム。
【請求項１０】
前記撮像装置は、前記被写体の情報として撮影位置を取得し、前記取得した撮影位置と前記特定した現在位置とが一致するようにアシストするアシスト手段を備えたことを特徴とする請求項１から９のいずれかに記載の撮影システム。
【請求項１１】
前記撮像装置は、前記撮像レンズの光軸の方位及び仰角を検出する手段を備え、前記被写体情報として撮影方位及び仰角を取得し、前記取得した撮影方位及び仰角と前記検出した光軸の方位及び仰角とが一致するようにアシストするアシスト手段を備えたことを特徴とする請求項１０に記載の撮影システム。
【請求項１２】
前記撮像装置は、前記取得した撮影方位及び仰角と前記検出した光軸の方位及び仰角とが一致すると本撮影を行うことを特徴とする請求項１１に記載の撮影システム。
【請求項１３】
前記アシスト手段は、表示または音声によりアシストをすることを特徴とする請求項９から１２のいずれかに記載の撮影システム。
【請求項１４】
前記撮像装置は、本撮影の際に前記被写体の情報を前記サーバに送信する手段を備え、
前記サーバは、前記受信した前記被写体情報を記録することを特徴とする請求項１から１３のいずれかに記載の撮影システム。
【請求項１５】
前記被写体情報は、前記被写体を撮影した画像のサムネイル画像、前記被写体を撮影した際の撮影条件、撮影モード、該撮影モードのお薦め度、撮影位置、前記撮像レンズの光軸の方位及び仰角のうち少なくとも１つを含むことを特徴とする請求項１から１４のいずれかに記載の撮影システム。
【請求項１６】
前記撮像装置の移動の速度及び方向を検出する手段は、所定の時間間隔毎に前記現在位置特定手段が特定した現在位置に基づいて前記撮像装置の移動の速度及び方向を検出することを特徴とする請求項１から１５のいずれかに記載の撮影システム。
【請求項１７】
通信ネットワークを介して撮像装置とデータ通信を行うサーバにおいて、
前記撮像装置の現在位置と移動の速度及び方向の情報に基づいて所定時間後の前記撮像装置の位置を予測する手段と、
前記予測した位置の所定範囲内に存在する被写体の情報を前記撮像装置に送信する手段と、
を備えたことを特徴とするサーバ。
【請求項１８】
通信ネットワークを介してサーバとデータ通信を行う撮像装置の撮影方法において、
撮像レンズを介して受光した被写体像を画像データに変換する撮像工程と、
前記撮像装置の現在位置を特定する現在位置特定工程と、
前記撮像装置の移動の速度及び方向を検出する工程と、
前記特定された現在位置と前記検出された移動の速度及び方向に基づいて、所定時間後の前記撮像装置の位置を予測する工程と、
前記予測した位置の所定範囲内における被写体情報を取得する工程と、
前記被写体情報に基づいて前記被写体に最適な撮影モードを選択する工程と、
を備えたことを特徴とする撮影方法。
【発明の詳細な説明】
【技術分野】
【０００１】
本発明は撮像システム及びサーバに係り、特に所定時間後の撮影位置を予測して、予測した撮影位置の被写体情報に基づいて撮影モードを選択する撮影システム、サーバ、及び撮影方法に関する。
【背景技術】
【０００２】
画像と、その画像が撮影された位置情報を関連付けて保存し、位置情報を基に画像を検索可能なシステムが知られている。特許文献１には、Ｅｘｉｆ形式のＧＰＳ拡張タグ部分に緯度経度情報を設定して位置情報付オリジナル画像を生成し、この画像をＷｅｂ上のホームページで公開し、これら位置情報付オリジナル画像のＥｘｉｆ形式の中に記述されたＧＰＳの関連情報を抽出するシステムが記載されている。引用文献１によれば、利用者が現在位置などの任意の地点情報をキーに検索し、その任意の地点に近い場所の撮影スポット一覧を情報として得ることが可能となる。
【０００３】
また、ＧＰＳによる現在位置特定機能を備え、ネットワークを介してサーバと接続して撮影した画像などを送受信する撮影装置が知られている。特許文献２には、ＧＰＳ信号によって特定した現在位置から所定範囲内に被写体が存在する可能性を表示パネルに表示する撮影システムが記載されている。
【特許文献１】特開２００２−３７３１６８号公報
【特許文献２】特開２００７−１０２５７５号公報
【発明の開示】
【発明が解決しようとする課題】
【０００４】
しかしながら、特許文献１や特許文献２に記載の技術は、移動中において、移動先にある撮影ポイントを知ることは難しかった。また、撮影ポイントを知ることができても、その撮影ポイントにおいて最適な撮影モードが何かを事前に知ることができないという問題点があった。
【０００５】
本発明はこのような事情に鑑みてなされたもので、所定時間後の撮影位置を予測して、予測した撮影位置の被写体情報に基づいて撮影モードを選択することができる撮影システム、サーバ、及び撮影方法を提供することを目的とする。
【課題を解決するための手段】
【０００６】
前記目的を達成するために請求項１に記載の撮影システムは、通信ネットワークを介してデータ通信を行う撮像装置とサーバから構成される撮影システムにおいて、前記撮像装置は、撮像レンズを介して受光した被写体像を画像データに変換する撮像手段と、前記撮像装置の現在位置を特定する現在位置特定手段と、前記撮像装置の移動の速度及び方向を検出する手段と、前記特定された現在位置と前記検出された移動の速度及び方向に基づいて、所定時間後の前記撮像装置の位置を予測する手段と、前記予測した位置の情報を前記サーバに送信する手段と、前記予測した位置の所定範囲内に存在する被写体の情報を前記サーバから取得する手段と、前記取得した被写体の情報に基づいて前記被写体に最適な撮影モードを選択する選択手段とを備え、前記サーバは、前記撮像装置が予測した位置の情報を前記撮像装置から取得する手段と、前記撮像装置が予測した位置の所定範囲内に存在する被写体の情報を前記撮像装置に送信する手段とを備えたことを特徴とする。
【０００７】
これにより、移動した距離と時間を考慮して、撮影ポイントの最適な撮影条件を予測して撮影することができる。
【０００８】
前記目的を達成するために請求項２に記載の撮影システムは、通信ネットワークを介してデータ通信を行う撮像装置とサーバから構成される撮影システムにおいて、前記撮像装置は、撮像レンズを介して受光した被写体像を画像データに変換する撮像手段と、前記撮像装置の現在位置を特定する現在位置特定手段と、前記撮像装置の移動の速度及び方向を検出する手段と、前記特定された現在位置と前記検出された移動の速度及び方向の情報を、前記サーバに送信する手段と、前記サーバが予測した所定時間後の前記撮像装置の位置の所定範囲内に存在する被写体の情報を前記サーバから取得する手段と、前記取得した被写体の情報に基づいて前記被写体に最適な撮影モードを選択する選択手段とを備え、前記サーバは、前記撮像装置から取得した前記特定された現在位置と前記検出された移動の速度及び方向の情報に基づいて所定時間後の前記撮像装置の位置を予測する手段と、前記予測した位置の所定範囲内に存在する被写体の情報を前記撮像装置に送信する手段とを備えたことを特徴とする。
【０００９】
これにより、移動した距離と時間を考慮して、撮影ポイントの最適な撮影条件を予測して撮影することができる。
【００１０】
請求項３に示すように請求項１または２に記載の撮影システムにおいて、前記被写体情報は、前記被写体を撮影するのに最適な撮影モードの候補のリストを含むことを特徴とする。
【００１１】
これにより、複数の撮影モードから最適な撮影モードを選択することができる。
【００１２】
請求項４に示すように請求項３に記載の撮影システムにおいて、前記選択手段は、ユーザに前記リストから本撮影に用いる撮影モードを選択させることを特徴とする。
【００１３】
これにより、最適な撮影モードの中から好みの撮影モードを選択することができる。
【００１４】
請求項５に示すように請求項３に記載の撮影システムにおいて、前記選択手段は、前記リストの最も上位の撮影モードを本撮影に用いるモードとして設定することを特徴とする。
【００１５】
これにより、煩わしい操作が必要なく最適な撮影モードに設定することができる。
【００１６】
請求項６に示すように請求項５に記載の撮影システムにおいて、前記選択手段は、前記所定時間後に前記リストの最も上位の撮影モードを本撮影に用いるモードとして設定することを特徴とする。
【００１７】
これにより、撮影ポイントに到着するときに最適な撮影モードに設定することができる。
【００１８】
請求項７に示すように請求項５に記載の撮影システムにおいて、前記選択手段は、前記所定時間後の余裕設定時間前に前記リストの最も上位の撮影モードを本撮影に用いるモードとして設定することを特徴とする。
【００１９】
これにより、撮影ポイントに到着するよりも余裕設定時間だけ前に最適な撮影モードに設定することができる。
【００２０】
請求項８に示すように請求項３から７のいずれかに記載の撮影システムにおいて、前記被写体を撮影するのに最適な撮影モードの候補のリストは、前記被写体が過去に撮影された際の撮影モードのお薦め度順に整列されたリストであることを特徴とする。
【００２１】
これにより、簡単に最適な撮影モードを選択することができる。
【００２２】
請求項９に示すように請求項３から７のいずれかに記載の撮影システムにおいて、前記被写体を撮影するのに最適な撮影モードの候補のリストは、前記被写体が過去に撮影された際の撮影モードの利用回数順に整列されたリストであることを特徴とする。
【００２３】
これにより、簡単に最適な撮影モードを選択することができる。
【００２４】
請求項１０に示すように請求項１から９のいずれかに記載の撮影システムにおいて、前記撮像装置は、前記被写体の情報として撮影位置を取得し、前記取得した撮影位置と前記特定した現在位置とが一致するようにアシストするアシスト手段を備えたことを特徴とする。
【００２５】
これにより、所望の撮影ポイントまで簡単に行くことができる。
【００２６】
請求項１１に示すように請求項１０に記載の撮影システムにおいて、前記撮像装置は、前記撮像レンズの光軸の方位及び仰角を検出する手段を備え、前記被写体情報として撮影方位及び仰角を取得し、前記取得した撮影方位及び仰角と前記検出した光軸の方位及び仰角とが一致するようにアシストするアシスト手段を備えたことを特徴とする。
【００２７】
これにより、適切な構図で被写体を撮影することができる。
【００２８】
請求項１２に示すように請求項１１に記載の撮影システムにおいて、前記撮像装置は、前記取得した撮影方位及び仰角と前記検出した光軸の方位及び仰角とが一致すると本撮影を行うことを特徴とする。
【００２９】
これにより、適切な構図で被写体を撮影することができる。
【００３０】
請求項１３に示すように請求項９から１２のいずれかに記載の撮影システムにおいて、前記アシスト手段は、表示または音声によりアシストをすることを特徴とする。
【００３１】
これにより、簡単にアシストを行うことができる。
【００３２】
請求項１４に示すように請求項１から１３のいずれかに記載の撮影システムにおいて、前記撮像装置は、本撮影の際に前記被写体の情報を前記サーバに送信する手段を備え、前記サーバは、前記受信した前記被写体情報を記録することを特徴とする。
【００３３】
これにより、サーバは様々な被写体情報を記録することができる。
【００３４】
請求項１５に示すように請求項１から１４のいずれかに記載の撮影システムにおいて、前記被写体情報は、前記被写体を撮影した画像のサムネイル画像、前記被写体を撮影した際の撮影条件、撮影モード、該撮影モードのお薦め度、撮影位置、前記撮像レンズの光軸の方位及び仰角のうち少なくとも１つを含むことを特徴とする。
【００３５】
これにより、ユーザが被写体についての適切な情報を得ることができる。
【００３６】
請求項１６に示すように請求項１から１５のいずれかに記載の撮影システムにおいて、前記撮像装置の移動の速度及び方向を検出する手段は、所定の時間間隔毎に前記現在位置特定手段が特定した現在位置に基づいて前記撮像装置の移動の速度及び方向を検出することを特徴とする。
【００３７】
これにより、簡単に撮像装置の移動の速度と方向を検出することができる。
【００３８】
前記目的を達成するために請求項１７に記載のサーバは、通信ネットワークを介して撮像装置とデータ通信を行うサーバにおいて、前記撮像装置の現在位置と移動の速度及び方向の情報に基づいて所定時間後の前記撮像装置の位置を予測する手段と、前記予測した位置の所定範囲内に存在する被写体の情報を前記撮像装置に送信する手段とを備えたことを特徴とする。
【００３９】
これにより、移動した距離と時間を考慮して、撮影ポイントの最適な撮影条件を予測して撮影することができる。
【００４０】
前記目的を達成するために請求項１８に記載の撮影方法は、通信ネットワークを介してサーバとデータ通信を行う撮像装置の撮影方法において、撮像レンズを介して受光した被写体像を画像データに変換する撮像工程と、前記撮像装置の現在位置を特定する現在位置特定工程と、前記撮像装置の移動の速度及び方向を検出する工程と、前記特定された現在位置と前記検出された移動の速度及び方向に基づいて、所定時間後の前記撮像装置の位置を予測する工程と、前記予測した位置の所定範囲内における被写体情報を取得する工程と、前記被写体情報に基づいて前記被写体に最適な撮影モードを選択する工程とを備えたことを特徴とする。
【００４１】
これにより、移動した距離と時間を考慮して、撮影ポイントの最適な撮影条件を予測して撮影することができる。
【発明の効果】
【００４２】
本発明によれば、所定時間後の撮影位置を予測して、予測した撮影位置の被写体情報に基づいて撮影モードを選択することができる撮影システム、サーバ、及び撮影方法を提供することができる。
【発明を実施するための最良の形態】
【００４３】
以下、添付図面に従って本発明を実施するための最良の形態について説明する。
【００４４】
＜第１の実施の形態＞
図１は、本発明が適用された撮影システム１０の構成を示す図である。
【００４５】
同図に示すように、本発明の撮影システム１０は、携帯電話１１と、携帯電話１１から送られる撮影画像を管理する画像管理サーバ１２とからなり、携帯電話１１と画像管理サーバ１２とは、移動体通信網やインターネット等の通信ネットワーク１３を介してデータ通信可能に接続されている。
【００４６】
図２は、携帯電話１１の電気的構成を示すブロック図である。同図に示すように、携帯電話１１は、通話／通信部３１、操作部３２、撮像部３３、現在位置特定部３４、制御部３５、表示部３６、方位検出部３７、及び仰角検出部３８から構成される。
【００４７】
操作部３２は、ユーザが所望の機能を使用するための操作部材であり、図示しない通話ボタン、終話ボタン、テンキー等から構成されている。
【００４８】
通話／通信部３１は、操作部３２の出力信号に従って、電話の通話や、通信ネットワーク１３を介した画像管理サーバ１２との画像等のコンテンツの送受信を制御する。また、インターネットを介して各種ネットワークサーバに接続し、各種ネットワークサーバから様々な情報を取得することも可能である。
【００４９】
撮像部３３は、図示しない撮像レンズや撮像素子、アナログ信号処理回路、及びデジタル信号処理回路を含み、操作部３２からの入力にしたがって被写体の撮影を行い、被写体像を画像信号に変換する。この画像信号は、所定のフォーマットに変換された後、図示しない不揮発性メモリに記録される。
【００５０】
現在位置特定部３４は、内蔵されたＧＰＳアンテナによって複数のＧＰＳ衛星からＧＰＳ信号を受信し、携帯電話１１の現在位置を特定する。方位検出部３７は、地磁気センサを備えており、撮影時における図示しない撮影レンズの向き（方位）を検出する。仰角検出部３８は、携帯電話１１の傾斜を検出するセンサを備えており、撮影時における図示しない撮影レンズの仰角を検出する。表示部３６は、図示しない不揮発性メモリに記録されたアドレス帳の表示や、画像等のコンテンツの表示を行うことができる液晶ディスプレイである。
【００５１】
これらの構成要素は、制御部３５により統括制御される。制御部３５は、図示しないＣＰＵと周辺回路から構成されている。
【００５２】
また、図１に示すように、画像管理サーバ１２は、通信インターフェース２３、分類部２４、検索部２５、及び画像データベース２６から構成されている。通信インターフェース２３は、通信ネットワーク１３を介して携帯電話１１との間で各種データを送受信するためのインターフェースである。分類部２４は、通信インターフェース２３を介して受信された撮影画像を、画像中の被写体の種別に基づいて分類し、画像データベース２６に登録を行う。画像データベース２６には、複数の携帯電話１１によって、様々な地点で撮影された撮影画像が登録されており、画像管理サーバ１２が新たな撮影画像を受信するたびに随時更新される。
【００５３】
次に、図３を用いて、携帯電話１１の通常撮影モードでの撮影及び画像管理サーバ１２への画像登録について説明する。携帯電話１１は、撮影した画像を被写体情報とともに画像管理サーバ１２に登録することが可能である。
【００５４】
まず最初に、ユーザが、携帯電話１１を用いて所望の被写体の撮影を行う（ステップＳ１）。携帯電話１１は、撮像部３３において撮影を行うとともに、現在位置特定部３４において撮影を行った場所の位置情報をＧＰＳから取得する。さらに、方位検出部３７が図示しない撮影レンズの向いている方位を検出し、仰角検出部３８が図示しない撮影レンズの仰角を検出する。また、制御部３５は、使用された撮影モードや撮影日時を取得し、さらに撮影画像のサムネイル画像を生成する。
【００５５】
この撮影した画像は表示部３６に再生表示することができ（ステップＳ２）、ユーザは、この再生表示された画像を操作部３２を用いて画像管理サーバ１２へ投稿することができる。ユーザが再生画像を投稿する場合は、投稿モードを選択（ステップＳ３）し、撮影したモードのお薦め度の入力を行う（ステップＳ４）。
【００５６】
ユーザが投稿を確定したと判定すると（ステップＳ５）、携帯電話１１は通信ネットワーク１３を介して画像管理サーバ１２にアクセスを行い（ステップＳ６）、投稿された画像を画像管理サーバ１２に登録する（ステップＳ７）。画像管理サーバ１２には、投稿した画像データとともに撮影場所のＧＰＳ情報（撮影位置情報）、方位、仰角、日時、撮影モード、撮影モードのお薦め度、及びサムネイル画像が登録される。
【００５７】
図４は、画像管理サーバ１２のデータベーステーブルを示す図である。これらの項目の他に、絞り値やシャッタスピード等の露光条件や、焦点距離、ホワイトバランスの補正条件、ストロボの発光条件等を撮影画像とともに携帯電話１１から受信し、記録してもよい。また、画像管理サーバ１２は、同一被写体について、撮影モードのお薦め度順のリストや、撮影モードの利用回数順のリストの作成を行う。図７は、ある被写体についての撮影モードのお薦め度順のリストを示す図であり、図８は、ある被写体についての撮影モードの利用回数順のリストを示す図である。
【００５８】
次に、図５を用いて、携帯電話１１の予測撮影モードでの動作について説明する。予測撮影モードにおいては、携帯電話１１は、所定時間後の位置を予測し、予測した位置の被写体情報に基づいて最適な撮影モードを選択する。
【００５９】
ユーザは、携帯電話１１を予測撮影モードに設定すると、さらに、自動撮影モードまたは手動撮影モードの選択を行う必要がある。制御部３５は選択されたモードの判別を行い（ステップＳ１１）、自動撮影モード（ステップＳ１２）または手動撮影モードに設定する（ステップＳ１３）。
【００６０】
撮影モードが設定されると、計時を開始するとともに現在位置特定部３４が定期的に現在位置情報を取得し、取得した複数の位置情報から移動方向と移動速度を算出する。この算出された移動方向と移動速度から、計時開始からｔ１、ｔ２〜ｔｎ時間後における移動場所の予測を行う（ステップＳ１４）。次に、予測されたｔｉ時間後の移動場所の所定範囲における被写体情報を画像管理サーバ１２に問い合わせ（ステップＳ１５）、該当する被写体情報（Ａ）を取得し、表示部３６に表示する（ステップＳ１６）。被写体情報（Ａ）には、その被写体を撮影した緯度、経度、方位、仰角、日時、サムネイル画像の他、撮影モードのお薦め度順のリストや、撮影モードの利用回数順のリストが含まれている。
【００６１】
図６は、現在位置と、１０分後、２０分後、３０分後の各移動場所、及び各移動場所における被写体情報を取得する所定範囲を示した図である。この所定範囲は、予測された移動場所から所定時間内に移動可能な距離であることが望ましい。即ち、携帯電話１１の移動速度に応じて所定範囲の大きさは変化する。
【００６２】
なお、該当する被写体情報が複数ある場合は、表示部３６に表示されたサムネイル画像を閲覧することにより、どの被写体の撮影を行うのかをユーザが選択してもよい。
【００６３】
次に、計時開始からｔｉ−Δｔ時間後に自動的にモードを設定するか否かをユーザが選択する（ステップＳ１７)。ここで、Δｔは事前余裕設定時間であり、Δｔ＝０であっても構わない。自動でモードを設定する場合は、画像管理サーバ１２に登録されている、被写体情報（Ａ）に関してお薦め度の最も高いモードを予約する（ステップＳ１８）。自動でモードを設定しない場合は、例えば図７に示すような被写体情報（Ａ）についての撮影モードのお薦め度リストを参照して、ユーザが所望の撮影モードを選択して予約する（ステップＳ１９）。この参照リストは、手動モード設定を選択することにより、画像管理サーバ１２から携帯電話１１に送信される。携帯電話１１は、受信した参照リストを表示部３６に表示する。ここで参照するリストは、図７のような撮影モードのお薦め度リストでなく、図８に示すような被写体情報（Ａ）についての撮影モードの利用回数のリストでもよい。
【００６４】
制御部３５は、計時開始からｔｉ―Δｔ時間が経過したと判定すると（ステップＳ２０）、制御部３５は、携帯電話１１の撮影モードをステップＳ１８またはステップＳ１９で予約された撮影モードに変更する（ステップＳ２１）。さらに、被写体情報（Ａ）に基づいて、表示部３６に被写体の位置、方位、仰角の表示を行う（ステップＳ２２）。
【００６５】
現在位置特定部３４、方位検出部３７、及び仰角検出部３８が、携帯電話１１の現在位置、図示しない撮影レンズの向いている方位及び仰角を検出し、被写体情報（Ａ）の位置、方位、角度に近いか否かを判定する（ステップＳ２３）。
【００６６】
位置、方位、角度が近いと判断すると、自動撮影モードに設定されているか否かの判定を行う（ステップＳ２４）。自動撮影モードに設定されている場合は、自動的に本撮影を行い（ステップＳ２５）、手動撮影モードに設定されている場合は、表示部３６に位置、方位、角度が近い旨を表示し、ユーザの本撮影操作を促す。
【００６７】
本撮影が終了したら、撮影処理を終了するか否かを判定する（ステップＳ２７）。終了しない場合は、ステップＳ２２に戻り、同様の処理を繰り返す。また、ステップＳ２３において位置、方位、角度が近くないと判断した場合も、ステップＳ２２に戻り、同様の処理を繰り返す。
【００６８】
このように、所定時間後の撮影位置を予測して、予測した撮影位置の被写体情報に基づいて自動で撮影モードを設定、またはリスト表示された中から選択させることにより、被写体の位置に到着する前に被写体に適した撮影モードを予め設定しておくことが可能となる。
【００６９】
＜第２の実施の形態＞
図９は、携帯電話１１の第２の実施の形態の予測撮影モードの動作を示すフローチャートである。なお、図５に示すフローチャートと共通する部分には同一の符号を付し、その詳細な説明は省略する。
【００７０】
第１の実施の形態と同様に、ユーザが自動撮影モードまたは手動撮影モードを選択すると、制御部３５は携帯電話１１を選択したモードに設定する（ステップＳ１１〜Ｓ１３）。
【００７１】
撮影モードが設定されると、計時を開始するとともに現在位置特定部３４が取得した複数の位置情報から携帯電話１１の移動方向と移動速度を算出し、算出された移動方向と移動速度から、計時開始後ｔ１、ｔ２〜ｔｎ時間後の移動場所の予測を行う（ステップＳ１４）。さらに、予測されたｔｉ時間後の移動場所における被写体情報を画像管理サーバ１２に問い合わせ（ステップＳ１５）、該当する被写体情報（Ａ）を取得し、表示部３６に表示する（ステップＳ１６）。
【００７２】
次に、計時開始からｔｉ−Δｔ時間後に自動的にモードを設定するか否かをユーザが選択する（ステップＳ１７)。自動でモードを設定する場合は、お薦め度の最も高いモードを予約し（ステップＳ１８）、手動でモードを設定する場合は、被写体情報（Ａ）についての撮影モードのお薦め度リストを参照して、ユーザが撮影モードを選択して予約する（ステップＳ１９）。
【００７３】
制御部３５は、計時開始からｔｉ―Δｔ時間が経過したと判定すると（ステップＳ２０）、撮影モードをステップＳ１８またはステップＳ１９で予約された撮影モードに変更する（ステップＳ２１）。さらに、被写体情報（Ａ）に基づいて、表示部３６に被写体の位置、方位、仰角の表示を行う（ステップＳ２２）。
【００７４】
ここで、制御部３５は、被写体情報（Ａ）の撮影位置と現在位置特定部３４において取得した現在位置を表示部３６に表示するとともに、ユーザが被写体情報（Ａ）へ移動するためのアシストを行う（ステップＳ３１）。移動のアシストは、図示しない音声出力部によって「３１０°方向に５０ｍ、１０ｍ登ってください」等のように音声出力して行なってもよいし、図１０（ａ）に示すように、スルー画の表示とともに「３１０°方向に５０ｍ、１０ｍ登ってください」等と表示してもよい。
【００７５】
なお、被写体情報（Ａ）と現在位置の高度差については、画像管理サーバ１２の地図情報からそれぞれの高度を算出し、その高度差を求めてもよいし、携帯電話１１に高度計を内蔵して現在位置の高度を算出し、被写体情報（Ａ）に含まれる高度情報から高度差を求めてもよい。
【００７６】
現在位置特定部３４において取得した現在位置と、被写体情報（Ａ）の撮影位置が一致したら、次に、被写体情報（Ａ）の方位と方位検出部３７から取得した方位とを比較し、比較結果に応じて撮影方向のアシストを行う（ステップＳ３２）。撮影方向のアシストも、図示しない音声出力部によって「９０°方向を向いてください」等のように音声出力によっておこなってもよいし、スルー画の表示とともに「９０°方向を向いてください」等のように表示してもよい。
【００７７】
方位検出部３７から取得した方位と、被写体情報（Ａ）の撮影方位が一致したら、最後に、被写体情報（Ａ）のレンズ角度と仰角検出部３８から取得した携帯電話１１のレンズ角度に応じて仰角または俯角のアシストを行う（ステップＳ３３）。仰角・俯角のアシストも、図示しない音声出力部によって「５°カメラを下げてください」等のように音声出力しておこなってもよいし、図１０（ｂ）に示すように、スルー画の表示とともに「５°カメラを下げてください」等のように表示してもよい。
【００７８】
携帯電話１１の位置、方向、角度が全て被写体情報（Ａ）と一致した場合は、ベストポジションであると判断して（ステップＳ３４）、ステップＳ３５に移行する。ベストポジションでない場合は、ステップＳ３１〜ステップＳ３３を繰り返して、ベストポジションになるようにユーザをアシストする。
【００７９】
ベストポジションと判断した場合は、自動撮影モードに設定されているか否かを判定し（ステップＳ３５）、自動撮影モードに設定されている場合は自動で本撮影を行い（ステップＳ３６）、手動撮影モードに設定されている場合は、ベストポジションである旨の通知を行い、本撮影を行うようにユーザに指示する（ステップＳ３７）。
【００８０】
最後に、撮影処理を終了するか否かを判定する（ステップＳ３８）。終了しない場合は、ステップＳ２２に戻り、同様の処理を繰り返す。
【００８１】
このように、最適な撮影モードだけでなく、画像管理サーバ１２から取得した被写体情報と同じ条件になるように、位置、方向、及び角度をアシストすることにより、最適な画像を取得することができる。
【００８２】
画像管理サーバ１２から取得した被写体情報に天気情報が含まれている場合には、通話／通信部３１を用いて、インターネット等から現在位置の天気情報を取得することにより、取得した天気情報に応じて撮影条件を自動的に変更してもよい。
【図面の簡単な説明】
【００８３】
【図１】図１は、本発明が適用された撮影システム１０の構成を示す図である。
【図２】図２は、携帯電話１１の電気的構成を示すブロック図である。
【図３】図３は、携帯電話１１の通常撮影モードでの撮影及び画像管理サーバ１２への画像登録について示したフローチャートである。
【図４】図４は、画像管理サーバ１２のデータベーステーブルを示す図である。
【図５】図５は、携帯電話１１の予測撮影モードの動作を示すフローチャートである。
【図６】図６は、現在位置と、１０分後、２０分後、３０分後の各移動場所及び被写体情報の取得範囲を示した図である。
【図７】図７は、ある被写体についての撮影モードのお薦め度順のリストを示す図である。
【図８】図８は、ある被写体についての撮影モードの利用回数順のリストを示す図である。
【図９】図９は、携帯電話１１の第２の実施の形態の予測撮影モードの動作を示すフローチャートである。
【図１０】図１０は、第２の実施の形態の予測撮影モードにおける撮影アシストを示す図である。
【符号の説明】
【００８４】
１０…撮影システム、１１…携帯電話、１２…画像管理サーバ、１３…通信ネットワーク、２２…ＧＰＳ衛星、２６…画像データベース、３３…撮像部、３４…現在位置特定部、３５…制御部、３６…表示部、３７…方位検出部、３８…仰角検出部
【図１】
2009225279.tif 000003
【図２】
2009225279.tif 000004
【図３】
2009225279.tif 000005
【図４】
2009225279.tif 000006
【図５】
2009225279.tif 000007
【図６】
2009225279.tif 000008
【図７】
2009225279.tif 000009
【図８】
2009225279.tif 000010
【図９】
2009225279.tif 000011
【図１０】
2009225279.tif 000012